(57)【要約】【課題】開口部を有する筐体１と、前記開口部を開閉する態様で前記筐体１に配設した前面扉２とを具備し、前記筐体１の内部に収納した電気機器を駆動することによって商品の販売を行う自動販売機であって、前面扉２を開けた状態でも筐体の内部にゴミや埃等の異物の侵入を防止することのできる自動販売機を提供する。【解決手段】自動販売機の前面扉２を開いた状態において、前記筐体の内部に導入した空気を筐体の開口部から排出、あるいは、前記筐体の内部と外部とを遮断する態様で前記開口部に沿って空気を噴射する。【選択図】      図１
2004334688.tif 000002
【特許請求の範囲】
【請求項１】
開口部を有する筐体と、
前記開口部を開閉する態様で前記筐体に配設した扉と
を具備し、前記筐体の内部に収納した電気機器を駆動することによって商品の販売を行う自動販売機であって、
フィルタを介して前記筐体の内部に電気機器を冷却するための空気を導入する吸気手段を備え、前記扉を開いた場合に、前記筐体の内部に導入した空気を前記開口部から排出することを特徴とする自動販売機。
【請求項２】
開口部を有する筐体と、
前記開口部を開閉する態様で前記筐体に配設した扉と
を具備し、前記筐体の内部に収納した電気機器を駆動することによって商品の販売を行う自動販売機であって、
少なくとも前記扉を開いた場合に、前記筐体の内部と外部とを遮断する態様で前記開口部に沿って空気を噴射する噴射手段を設けたことを特徴とする自動販売機。
【請求項３】
前記筐体に、前記電気機器の背面にアクセスするための開口を設け、この開口を通じて外部から空気を導入することを特徴とする請求項１または２に記載の自動販売機。
【請求項４】
前記筐体の外部から前記開口に対して前記フィルタを着脱可能に設けたことを特徴とする請求項３に記載の自動販売機。
【請求項５】
前記電気機器は、前記筐体に導入された空気を機器筐体に取り込んだ後に前記筐体の開口部へ向けて排出することにより、該機器筐体の内部を冷却する冷却ファンを備えたものであることを特徴とする請求項１〜４のいずれか一つに記載の自動販売機。
【請求項６】
前記電気機器は、画像データが与えられた場合にこれを販売商品としてプリントアウトするプリンタと、記録媒体が挿入された場合に該記録媒体に記録された画像データをプリンタに与える画像処理手段とを備えることを特徴とする請求項１〜５のいずれか一つに記載の自動販売機。
【発明の詳細な説明】
【０００１】
【発明の属する技術分野】
本発明は、自動販売機に関するもので、より詳細には、開口部を有する筐体と、前記開口部を開閉する態様で前記筐体に配設した扉とを具備し、前記筐体の内部に収納した電気機器を駆動することによって商品の販売を行う自動販売機に関するものである。
【０００２】
【従来の技術】
近年のデジタルカメラの普及に伴い、プリントアウトサービスの一形態として、メモリーカードなどの記録媒体に記録されている画像データをプリントアウトして販売する写真印刷販売機へのニーズが高まっている。
【０００３】
この種の写真印刷販売機としては、例えば図１０に示すように、開口部１ａを有する筐体１と、この開口部１ａを開閉する態様で筐体１に配設された前面扉２と、筐体１の内部に収納されたプリンタ１２と、プリンタ１２から払い出された写真１３を下方に導くシュータ２４と、シュータ２４を介して導かれた写真１３を受け止める写真受け部２６とを備えたものがある。
【０００４】
この写真印刷販売機では、前面扉２に設けられた挿入口（図示せず）に記録媒体を挿入した後、入金やサイズの選択を行えば、記録媒体に記録された画像データがプリンタ１２から写真１３としてプリントアウトされる。プリンタ１２から払い出された写真１３は、シュータ２４を通じて写真受け部２６に搬送され、前面扉２の写真取出口２２から取り出すことが可能となる（例えば、特許文献１参照）。
【０００５】
【特許文献１】
特開２００１−１６２８７１号公報
【０００６】
【発明が解決しようとする課題】
通常の写真印刷販売機では、プリンタ１２として熱転写式のものが多く用いられている。熱転写式のプリンタは、印刷ヘッドが発熱体となるため、この印刷ヘッドを冷却するための冷却ファンを備えているのが一般的である。例えば、図１０に示した写真印刷販売機では、プリンタ１２の背部に冷却ファン１２ｂが設けられており、この冷却ファン１２ｂの駆動によってプリンタ１２の内部に空気を通過させ、その冷却を図るようにしている。さらに、図１０に示した写真印刷販売機においては、筐体１の背板に吸気口１４０および排気口１４３が設けられているとともに、吸気口１４０に吸気ファン１４２が取り付けられており、該吸気ファン１４２の駆動により吸気口１４０から筐体１の内部に空気を導入する一方、内部の空気を排気口１４３から順次排出することにより、筐体１の内部が高温状態となるのを防止するようにしている。
【０００７】
筐体１の背板に設けた吸気口１４０および排気口１４３には、それぞれエアフィルタ１４１が設けられている。従って、前面扉２を閉じた状態では、筐体１の内部にエアフィルタ１４１を通過した空気のみが流通することになるため、ゴミや埃等の異物が侵入する虞れはない。しかしながら、例えばメンテナンス作業を行うために前面扉２を開けた場合には、筐体１の開口部１ａが開放されることになるため、筐体１の内部にゴミや埃等の異物が侵入する事態を防止することが困難となる。特に、吸気ファン１４２、あるいはプリンタ１２の冷却ファン１２ｂが駆動された状態で前面扉２を開けた場合には、開口部１ａを通じて筐体１の内部に至る空気流が生じることになり、上述した問題が一層顕著となる。
【０００８】
本発明は上述の問題点を解決するために成されたものであり、前面扉を開けた状態でも筐体の内部にゴミや埃等の異物の侵入を防止することのできる自動販売機を提供することを目的とする。
【０００９】
【課題を解決するための手段】
前述した課題を解決する請求項１の発明に係る自動販売機は、開口部を有する筐体と、前記開口部を開閉する態様で前記筐体に配設した扉とを具備し、前記筐体の内部に収納した電気機器を駆動することによって商品の販売を行う自動販売機であって、フィルタを介して前記筐体の内部に電気機器を冷却するための空気を導入する吸気手段を備え、前記扉を開いた場合に、前記筐体の内部に導入した空気を前記開口部から排出することを特徴とする。
【００１０】
請求項２の発明に係る自動販売機は、開口部を有する筐体と、前記開口部を開閉する態様で前記筐体に配設した扉とを具備し、前記筐体の内部に収納した電気機器を駆動することによって商品の販売を行う自動販売機であって、少なくとも前記扉を開いた場合に、前記筐体の内部と外部とを遮断する態様で前記開口部に沿って空気を噴射する噴射手段を設けたことを特徴とする。
【００１１】
請求項３の発明に係る自動販売機は、上記請求項１または２において、前記筐体に、前記電気機器の背面にアクセスするための開口を設け、この開口を通じて外部から空気を導入することを特徴とする。
【００１２】
請求項４の発明に係る自動販売機は、上記請求項１〜３のいずれか一つにおいて、前記開口には、外部から取り出し可能なフィルタが設けられていることを特徴とする自動販売機にある。
【００１３】
請求項５の発明に係る自動販売機は、上記請求項１〜４のいずれか一つにおいて、前記電気機器は、前記筐体に導入された空気を機器筐体に取り込んだ後に前記筐体の開口部へ向けて排出することにより、該機器筐体の内部を冷却する冷却ファンを備えたものであることを特徴とする。
【００１４】
請求項６の発明に係る自動販売機は、上記請求項１〜５のいずれか一つにおいて、前記電気機器は、画像データが与えられた場合にこれを販売商品としてプリントアウトするプリンタと、記録媒体が挿入された場合に該記録媒体に記録された画像データをプリンタに与える画像処理手段とを備えることを特徴とする。
【００１５】
【発明の実施の形態】
以下に添付図面を参照して、この発明にかかる自動販売機の好適な実施の形態を、写真印刷販売機を例にして詳細に説明する。なお、本発明の自動販売機の用途は、写真印刷販売機に限定されるものではなく、缶、ペーパーパック、カップ、食品、タバコ等の各種自動販売機に特に限定なく利用できる。
【００１６】
（実施の形態１）
図１は本発明の実施の形態１に係る写真印刷販売機であり、前面扉が開いた状態を示した斜視図である。ここで例示する写真印刷販売機は、前面開口部１ａを有する筐体１と、この筐体１の前面開口部１ａに対して開閉可能に配設された前面扉２とを有する。
【００１７】
筐体１は、その内部に電気機器としてプリンタ１２およびパソコン１５を収納している。プリンタ１２は、画像データが与えられた場合にこれを販売商品となる写真としてプリントアウトし、下方に払い出すものである。本実施の形態１では、熱転写式のプリンタ１２を適用している。パソコン１５は、前面扉２の前面からメモリーカード等の記録媒体が挿入された場合に、該記録媒体に記録された画像データをプリンタ１２に与えるもので、画像処理手段として機能する。本実施の形態１では、それぞれ横２列に配列された上部プリンタ１２０および下部プリンタ１２２を有し、全体として４台のプリンタ１２を内蔵する一方、下部プリンタ１２２のさらに下方となる位置にパソコン１５を唯一備えている。各プリンタ１２０、１２２、およびパソコン１５は、個々の前面部にそれぞれ排気口１２０ｃ、１２２ｃ、１５０を有している。
【００１８】
前面扉２の内側には、プリンタ１２から排出された写真を下方へと導くシュータ２４と、シュータ２４を通じて導かれた写真を受け止め、前面扉２に開口された写真取出口２２からの取出しに供する写真受け部２６が設けられている。
【００１９】
シュータ２４および写真受け部２６は前面扉２の内側に固定されており、前面扉２が閉じた場合に筐体１の内部に収容されているが、前面扉２を開いた場合に前面扉２とともに移動して筐体１の外側に引き出される。
【００２０】
シュータ２４は、上下方向に沿って延在しており、上部プリンタの写真排出口１２０ａに対応する部位に写真投入部２４０を有し、かつ下部プリンタの写真排出口１２２ｂに対応する部位に写真投入部２４２を有している。
【００２１】
図には明示していないが、前面扉２には、記録媒体が挿入された場合にこの記録媒体に記録された画像データの読み取りを行うカードリーダ部と、プリント代を入金する入金部と、写真のサイズや現像枚数などを選択するための複数の選択釦が設けられている。ユーザが、カードリーダ部に記録媒体を挿入し、選択釦を押してサイズを指定し、プリント代を入金すると、プリンタ１２が、指定されたサイズの写真のプリントを開始する。
【００２２】
プリンタの写真排出口１２０ａ、１２２ａから排出された写真は、それぞれ写真投入口２４０、２４２からシュータ２４に投入された後、自重による自然落下によって写真受け部２６へと搬出され、前面扉２に開口された写真取出口２２からの取出しに供される。
【００２３】
図２に示すように、各プリンタ１２０、１２２の背面部には、それぞれ吸気ファン１２０ｂ、１２２ｂが設けられている。これらの吸気ファン１２０ｂ、１２２ｂは、各プリンタ１２０、１２２の背面側から前方側に向けて空気を通過させることによってそれぞれの内部を冷却するものである。筐体１の背板１ｂにおいて各吸気ファン１２０、１２２に対応する位置には、それぞれ吸気口１４０が形成してある。吸気口１４０と各吸気ファン１２０、１２２との間は、筒状のダクト１４４によって接続してある。各吸気口１４０には、空気中に含まれるゴミや埃等の異物を除去しながら、各プリンタ１２０、１２２の内部に空気を送り込むためのエアフィルタ１４１が取り付けてある。各プリンタ１２０、１２２の内部に取り込まれた空気は、発熱体である印刷ヘッドを冷却した後、前面部に形成した排気口１２０ｃ、１２２ｃから前方に向かって排出される。
【００２４】
また、筐体１の背板１ｂにおいてパソコン１５の吸気口に対応する位置にも吸気口１４０が形成してある。吸気口１４０とパソコン１５の吸気口との間は、筒状のダクト１４４によって接続してある。この吸気口１４０には、空気中に含まれるゴミや埃等の異物を除去するためのエアフィルタ１４１が取り付けてあり、さらにダクト１４４の内部には、パソコン１５の内部に空気を送り込むための吸気ファン１４２が設けてある。パソコン１５の内部に取り込まれた空気は、その内部を冷却した後、前面部に形成した排気口１５０から前方に向かって排気される。
【００２５】
上記のように構成した写真印刷販売機では、吸気ファン１２０ｂ、１２２ｂおよび１４２によって取り込まれた空気が、各プリンタ１２０、１２２の排気口１２０ｃ、１２２ｃおよびパソコン１５の排気口１５０から前方に向かって排出される。従って、図２に示すように、前面扉２を開けた場合にも、プリンタ１２０、１２２およびパソコン１５から排出された空気が筐体１の開口部１ａから前方に向けて排出されることになるため、筐体１の外部からゴミや埃等の重量の軽い異物が内部に侵入する虞れがない。この結果、写真にゴミが付着する等の問題を招来することなく、筐体１の内部に収納したプリンタ１２０、１２２およびパソコン１５を冷却することが可能になる。
【００２６】
また、前面扉２が閉じた状態では、図３に示すように、各プリンタの排気口１２０ｃ、１２２ｃおよびパソコンの排気口１５０から前方に向かって排出された空気が、前面扉２に当たった後、上昇し、前面扉２上方に設けられた排気口２８から外部に排出される。この排気口２８には、排気用ルーバー２８ａが設けられている。排気口１２０ｃ、１２２ｃ、１５０から排気された空気は、プリンタ１２やパソコン１５の発熱を吸熱しているので温度が上昇しているが、筐体１の内部が十分に広く、風量が適量であればこの排気口２８を通じて前面に排気しても、ユーザに不快感を与えない。
【００２７】
このように、実施の形態１では、前面扉２を閉じた状態であれば筐体１の内部に侵入する空気は、エアフィルタ１４１を通過して入ってくるため、外部のゴミや埃等等の異物が侵入することはない。また、前面扉２を開いた状態であっても、筐体１の外部から取り入れた空気が常に開口部１ａから前方に向かって排出されるため、外部のゴミや埃等の重量の軽い異物がプリンタ１２やパソコン１５等の電気機器に侵入するのを防ぐことができる。従来は、印刷紙の補充や、インクリボンの交換などのメンテナンス時に、筐体１の内部にゴミや埃等の異物が侵入し、印刷紙や印刷ヘッドにゴミが付着して、商品である写真に付着したまま印刷され商品価値を下げるといった問題があったが、本発明はかかる問題を解決するものである。
【００２８】
吸気ファン１２０ｂ、１２２ｂ、１４２は、常に運転させる必要はなく、プリンタ１２０、１２２やパソコン１５の稼働時や稼働終了後の一定時間運転させるタイマー運転、および、前面扉２の付近に設けられた開閉センサー１６によって、扉開時にのみ運転するように設定すれば、省エネルギー化を図ることができる。
【００２９】
なお、実施の形態１では、販売機背板に設けられた吸気口１４０から筐体１の内部に空気を取り込む構成としたが、販売機背板以外、例えば販売機側面板、販売機天井等に吸気口を設けることもできる。
【００３０】
また、実施の形態１では、前面扉２の内側にシュータ２４および写真受け部２６を固定し、前面扉２を開くと、シュータ２４および写真受け部２６は筐体１の外側に引き出される構成としたが、これらは必ずしも前面扉２に固定されている必要はなく、着脱可能な状態に配設してもよい。
【００３１】
（実施の形態２）
図４は、本発明の実施の形態２に係る写真印刷販売機の断面図である。尚、上述の実施の形態１に係る写真印刷販売機と同一の構成を有するものには、同一の符号を付してその説明を省略する。
【００３２】
本発明の実施の形態２に係る写真印刷販売機において、各プリンタ１２０、１２２の背面部には、それぞれ吸気ファン１２０ｂ、１２２ｂおよびプリンタの配線接続口１２０ｄ、１２２ｄが設けられている。各吸気ファンに対応する位置と、プリンタ配線の接続口等のメンテナンス時に触る可能性のある範囲に対応する位置には、人の手が十分入る大きさの吸気口１４０が開口されている。
【００３３】
また、パソコン１５の背面部には、吸気口（図示せず）と配線接続口１５１が設けられており、吸気口および配線の接続口等メンテナンス時に触る可能性のある部分に対応する位置にも、人の手が十分入る大きさの吸気口１４０が開口されている。
【００３４】
図５は、吸気口１４０周辺の斜視図である。エアフィルタ１４１は、外部から取り外しできるよう、フック１４１ａで販売機背板に掛止されている。メンテナンス時、エアフィルタのフックを外側から外し、ダクト１４４内に手を入れて作業することができる。メンテナンス作業中は、装置内部にゴミ、埃等が侵入するのを防ぐため、吸気ファン１２０ｂ、１２２ｂ、１４２を停止させておくことが好ましい。
【００３５】
このように、実施の形態２においては、メンテナンス作業に十分な大きさの吸気口１４０を設け、この吸気口１４０に、外部から取り外し可能なエアフィルタを設けることにより、外部から配線を触ることができるため、接続の確認や配線の交換時に配線のついた部品を前方に引き出す必要がなくなり、作業が容易になる。また、前方に引き出す必要がないために配線の長さも短くすることができ、配線のまとめも容易になる。
【００３６】
（実施の形態３）
図６は、本発明の実施の形態３に係る写真印刷販売機の斜視図である。尚、上述の実施の形態１に係る写真印刷販売機と同一の構成を有するものには、同一の符号を付してその説明を省略する。
【００３７】
図６において、シュータ２４は、上下方向に沿って延在する鉄板製の矩形筒体からなり、上面開口部２４４は、後述する上面ダクトの排気口１４８ａの近傍まで延在しており、下面開口部２４６は、写真受け部２６の上部まで延在している。シュータ２４は、上部プリンタの写真排出口１２０ａに対応する部位に写真投入部２４０を有し、かつ、下部プリンタの写真排出口１２２ｂに対応する部位に写真投入部２４２を有している。
【００３８】
実施の形態３においては、図７に示すように、販売機背板の下方部に吸気口１４０が開口され、この吸気口１４０にはエアフィルタ１４１および吸気ファン１４２が設けられている。
【００３９】
この吸気口１４０には、背面ダクトの下端開口部が接合されている。この背面ダクトは、販売機背板と、プリンタ１２の奥方に上下方向に沿って配設された背板１４６によって形成されている。上部プリンタの上方には、販売機天井と平行に上面ダクト用の上面板１４８が配設され、販売機天井とともに上面ダクトと形成している。背板１４６の上端部は、上面板１４８の背面側の端縁と接合しおり、背面ダクトと上面ダクトが連通した状態にある。
【００４０】
上面ダクトの前面側の開口端縁は、筺体１の前面開口部の上端部近傍まで延在し、この開口端縁に、シュータ２４の上面開口部２４４からシュータ２４の内部に空気を排出する排気口１４８ａを有する。排気口１４８ａには、ハニカム構造を有するフィルタ１４９が設けられており、排気口１４８ａから下方に向かってへ排気される空気の流量、風圧を安定させている。本実施の形態においては、この排気口１４８ａおよびフィルタ１４９が、噴射手段を構成している。
【００４１】
吸気ファン１４２によって吸気口１４０から取り込まれた空気は、エアフィルタ１４１によって空気中に含まれるゴミ・埃を除去され、背面ダクト内部を上昇し、上面ダクト内部を通って、販売機前方に流れ、排気口１４８ａから下方に向かって噴射される。
【００４２】
各プリンタ１２０、１２２の背面部には、それぞれ吸気ファン１２０ｂ、１２２ｂが設けられている。背板１４６は、吸気ファン１２０ｂ、１２２ｂに対応する位置で開口しており、この開口部から吸気ファン１２０ｂ、１２２ｂへと分岐するプリンタダクト１４６ａが設けられている。背面ダクトの内部を上方に向かって移動する空気は、この開口部で分岐してプリンタダクト１４６ａに送り込まれ、吸気ファン１２０ｂ、１２２ｂによって各プリンタ１２０、１２２内部に取り込まれる。
【００４３】
吸気ファン１２０ｂ、１２２ｂによって各プリンタ内部に取り込まれた空気は、発熱体であるプリンタの印刷ヘッドを冷却した後、写真排出口１２０ａ、１２２ａから下方に向かって排気される。
【００４４】
かかる構成を有する実施の形態３の写真印刷販売機において、まず、図７を参照しながら、前面扉が開いた状態での空気の流れを説明する。前面扉２が開いた状態では、排気口１４８ａは、真下に向かって空気を噴射し、プリンタの写真排出口１２０ａ、１２２ａから斜め下方に排出された空気は、排気口１４８ａから真下に向かって噴射された空気と合流し、筐体１の開口部を遮断するエアカーテンを作る。エアカーテンを形成する空気は、開口部の下部より機外へ流される。
【００４５】
このように、筐体１の開口部を遮断するエアカーテンを設けることにより、機外のゴミ、埃等の重量の軽い異物がプリンタ等の電気機器に侵入するのを防ぐことができる。
【００４６】
つぎに、図８を参照しながら、前面扉が閉じた状態での空気の流れを説明する。排気口１４８ａから真下に向かって噴射された空気は、シュータの上面開口部２４４からシュータ内部に流れ込む。プリンタの写真排出口１２０ａ、１２２ａから排出された空気は、それぞれ写真投入口２４０ａ、２４２ａからシュータ２４の内部に流れ込んで、排気口１４８ａからシュータ２４の内部に流れ込んだ空気と合流し、写真受け部２６へと送られる。
【００４７】
写真がシュータを通過する際、摩擦で静電気が発生するが、実施の形態３によれば、排気口１４８ａ、写真投入部２４０、２４２から排出された空気が、写真の搬出方向に沿って流れ、写真の落下を付勢する。この結果、シュータ２４の内壁に写真が張り付くのを防止し、写真を確実に写真受け部２６に搬送することができる。
【００４８】
図９に示すように、写真取出口２２には外開きの手動フラッパ２２０が設けられておりこの手動フラッパ２２０には人の指が入る程度の切り欠き部２２０ａが設けられている。写真受け部２６へと送られた空気は、この切り欠き部２２０ａを通じて外部に排気される。
【００４９】
このように、実施の形態３によれば、前面扉２を開いた状態において、排気口１４８ａが、下方に空気を排出することにより、筐体１の開口部を遮断するエアカーテンを形成するので、開口部から、ゴミ、埃等の異物が侵入するのを防ぐことができる。
【００５０】
また、実施の形態３によれば、前面扉２を閉じた状態において、写真の搬出方向に沿って排気口１４８ａからシュータ２４の内部に空気を送るので、シュータ２４の内部に帯電した写真が張り付くという問題を解決できる。写真は、軽量かつ風を受ける面積が大きいため、比較的弱い風量であっても、写真取出口まで落下させることができる。
【００５１】
さらに、シュータ２４の内部を通過した空気は、写真取出口２２から排気されるので、写真取出口２２から、ゴミ、埃等の異物が侵入するのを防ぐことができる。
【００５２】
なお、実施の形態３では、開口部の上端に排気口１４８ａを設け、空気を下方に噴射することにより開口部を遮断するエアカーテンを形成したが、エアカーテンの形成方法はこれに限定されるものではない。例えば、開口部の右端縁および左端縁に排気口を設け、相対向する端縁方向に空気を噴射することによりエアカーテンを形成するように設計変更してもよい。
【００５３】
【発明の効果】
以上説明したように、請求項１の発明によれば、フィルタを介して前記筐体の内部に電気機器を冷却するための空気を導入する吸気手段を備え、前記扉を開いた場合に、前記筐体の内部に導入した空気を前記開口部から排出するので、前記扉を閉じた状態であれば筐体の内部に侵入する空気は、フィルタを通過して入ってくるため、外部のゴミや埃等等の異物が侵入することはなく、また、前記扉を開いた状態であっても、筐体の外部から取り入れた空気が常に開口部から前方に向かって排出されるため、外部のゴミや埃等の重量の軽い異物がプリンタやパソコン等の電気機器に侵入するのを防ぐことができる。
【００５４】
また、請求項２の発明によれば、少なくとも前記扉を開いた場合に、前記筐体の内部と外部とを遮断する態様で前記開口部に沿って空気を噴射する噴射手段を設けることにより、前記扉を開いた状態であっても、外部のゴミや埃等の重量の軽い異物がプリンタやパソコン等の電気機器に侵入するのを防ぐことができる。
【００５５】
また、請求項３の発明によれば、前記筐体に、前記電気機器の背面にアクセスするための開口を設け、この開口を通じて外部から空気を導入することにより、当該開口から配線を触ることができるため、接続の確認や配線の交換時に配線のついた部品を外部に引き出す必要がなくなり、メンテナンス作業が容易になる。また、外部に引き出す必要がないために配線の長さも短くすることができ、配線のまとめも容易になる。
【００５６】
また、請求項４の発明によれば、前記筐体の外部から前記開口に対して前記フィルタを着脱可能に設けることにより、メンテナンス作業時に外部からフィルタを取り外すことで、電気機器の背面に容易にアクセスすることができる。
【００５７】
また、請求項５の発明によれば、前記電気機器に、前記筐体に導入された空気を機器筐体に取り込んだ後に前記筐体の開口部へ向けて排出することにより該機器筐体の内部を冷却する冷却ファンを設けることで、筐体の内部から開口部に至る空気流が生じるため、外部のゴミや埃等の重量の軽い異物がプリンタやパソコン等の電気機器に侵入するのを防ぐことができる。
【００５８】
さらに、請求項６の発明によれば、前記電気機器は、画像データが与えられた場合にこれを販売商品としてプリントアウトするプリンタと、記録媒体が挿入された場合に該記録媒体に記録された画像データをプリンタに与える画像処理手段とを備え、メモリーカードなどの記録媒体に記録されている画像データをプリントアウトして販売する写真印刷販売機として好適に利用できる。
【図面の簡単な説明】
【図１】本発明の実施の形態１である写真印刷販売機の前面扉が開いた状態を示す斜視図である。
【図２】本発明の実施の形態１である写真印刷販売機の前面扉が開いた状態を示す断面図である。
【図３】本発明の実施の形態１である写真印刷販売機の前面扉が閉じた状態を示す断面図である。
【図４】本発明の実施の形態２である写真印刷販売機の前面扉が開いた状態を示す断面図である。
【図５】本発明の実施の形態２である写真印刷販売機の背板に設けた吸気口周辺を示す斜視図である。
【図６】本発明の実施の形態３である写真印刷販売機の前面扉が開いた状態を示す斜視図である。
【図７】本発明の実施の形態３である写真印刷販売機の前面扉が開いた状態を示す断面図である。
【図８】本発明の実施の形態３である写真印刷販売機の前面扉が閉じた状態を示す断面図である。
【図９】本発明の実施の形態３である写真印刷販売機の写真取出口周辺を示す斜視図である。
【図１０】従来の写真印刷販売機の断面図である。
【符号の説明】
１  筺体
１２  プリンタ
１２ｂ  排気ファン
１２０  上部プリンタ
１２０ａ  写真排出口
１２０ｂ  吸気ファン
１２０ｃ  排気口
１２０ｄ  配線接続口
１２２  下部プリンタ
１２２ａ  写真排出口
１２２ｂ  吸気ファン
１２２ｃ  排気口
１２２ｄ  配線接続口
１３  写真
１４０  吸気口
１４１  エアフィルタ
１４１ａ  フック
１４２  吸気ファン
１４３  排気口
１４４  ダクト
１４６  背板
１４６ａ  プリンタダクト
１４８  上面板
１４８ａ  排気口
１４９  ハニカム
１５  パソコン
１５０  排気口
１５１  配線接続口
１６  開閉センサ
２  前面扉
２２  写真取出口
２２０  手動フラッパ
２２０ａ  切り欠き部
２４  シュータ
２４０、２４２  写真投入部
２４４  上面開口部
２４６  下面開口部
２６  写真受け部
２８  排気口
２８ａ  排気用ルーバー
【図１】
2004334688.tif 000003
【図２】
2004334688.tif 000004
【図３】
2004334688.tif 000005
【図４】
2004334688.tif 000006
【図５】
2004334688.tif 000007
【図６】
2004334688.tif 000008
【図７】
2004334688.tif 000009
【図８】
2004334688.tif 000010
【図９】
2004334688.tif 000011
【図１０】
2004334688.tif 000012